(57)【要約】【課題】調髪者がベッド上面と被調髪者の後頭部との間の狭い空間でも調髪作業を容易に行え、かつバリカン刃部の温度上昇を抑制できるバリカンを提供する。【解決手段】電動バリカン１００は、バリカン刃部１１１と、バリカン本体部１２０と、通風部１３０と、を有する。バリカン本体部１２０は、バリカン刃部１１１を駆動するモーター１２１を備える。通風部１３０は、流入口１３２と、風路１３３と、流出口１３４と、を備え、バリカン本体部１２０と一体的に形成されている。流入口１３２は、バリカン刃部１１１に隣接する位置に形成されている。風路１３０は、バリカン刃部１１１およびバリカン本体部１２０の側面に沿って形成されている。流出口１３４は、バリカン本体部１２０の側面上に形成され、流入口１３２から流入した空気がバリカン本体部１２０の側面に沿って流れる方向に対して交差する方向に空気を流出させる。【選択図】図１
2019176957.tif 000002
【特許請求の範囲】
【請求項１】
バリカン刃部と、
前記バリカン刃部を駆動するモーターを備えるバリカン本体部と、
前記バリカン刃部に隣接する位置に形成された流入口と、前記バリカン刃部および前記バリカン本体部の側面に沿って形成された風路と、前記バリカン本体部の側面上に形成され、前記流入口から流入した空気が前記バリカン本体部の側面に沿って流れる方向に対して交差する方向に前記空気を流出させる流出口と、を備え、前記バリカン本体部と一体的に形成された通風部と、
を有する、電動バリカン。
【請求項２】
前記バリカン本体部を収容する筐体をさらに備え、
前記バリカン本体部は、前記モーターを駆動する電源部をさらに備え、
前記電源部は、
前記筐体の底部と前記モーターとの間に配置される、請求項１に記載の電動バリカン。
【請求項３】
前記風路と前記モーターとの間に前記モーターを冷却する冷却部をさらに備える、請求項２に記載の電動バリカン。
【請求項４】
前記風路と前記モーターとの間の前記筐体の壁部は、前記筐体の他の壁部よりも厚みが薄く形成されており、
前記モーターは、厚みが薄く形成されている前記筐体の壁部を介して前記風路に近接して配置されている、請求項３に記載の電動バリカン。
【請求項５】
前記風路と前記モーターとの間は、金属板によって仕切られている、請求項３に記載の電動バリカン。
【請求項６】
前記風路と前記モーターとの間の前記筐体の壁部に空気を通過させる編み目が形成されている、請求項３に記載の電動バリカン。
【請求項７】
前記筐体の外面に配置され、照明として機能する発光部をさらに有する、請求項２〜６のいずれか１項に記載の電動バリカン。
【請求項８】
前記電源部は、充電式のバッテリーを備え、前記モーターを駆動する電力を前記バッテリーから供給する、請求項２〜７のいずれか１項に記載の電動バリカン。
【発明の詳細な説明】
【技術分野】
【０００１】
本発明は、吸引式電動バリカンに関する。
【背景技術】
【０００２】
近年、高齢化社会の進行に伴い、病院、介護施設、家庭などにおいて、一日の大半をベッドに仰臥した状態で生活を送る人が増加している。このような、いわゆる「寝たきり」の人の場合、ベッド上で状態を起こしたままいることが困難であることが多く、人によっては、わずかに状態を起こすことすら困難であることもある。
【０００３】
一般に、ベッドに仰臥している人の調髪を行う場合、美容師または理容師（以下、「調髪者」という）は、調髪される人（以下、「被調髪者」という）の頭部を支えることにより、ベッドと被調髪者の頭部との間の空間を確保しながら被調髪者の調髪を行うことが多い。被調髪者がベッドに仰臥したままの状態の場合、ベッドの上面に対する被調髪者の後頭部の高さは、通常、高くても１５〜２０ｃｍ程度である。被調髪者に対する負担が大きくなることを考慮して、被調髪者の頭部をこれ以上の高さに持ち上げることは好ましくない。
【０００４】
また、病院または介護施設においては、被調髪者が認知症や精神疾患を患っている場合もある。このような場合、調髪者は、被調髪者の安全を考慮して、美容院や理容店で使用されている調髪用の鋏の代わりに吸引式電動バリカンを使用する。
【０００５】
吸引式電動バリカンは、電動バリカンに付属のアタッチメントを装着することにより、家庭用の電気掃除機に接続することができる。調髪者は、電気掃除機により吸引しながら電動バリカンで被調髪者の毛髪を刈るので、刈られた毛髪の多くが電気掃除機によって回収され、毛髪の飛散が抑制される（たとえば、下記の特許文献１を参照）。
【先行技術文献】
【特許文献】
【０００６】
【特許文献１】特開２０００−２４５９７７号公報
【発明の概要】
【発明が解決しようとする課題】
【０００７】
しかし、特許文献１の吸引式電動バリカンでは、棒状に長い電動バリカンの一端に空気の吸入口およびバリカン刃部が隣接して配置され、他端に吸引ホースが接続される構造になっている。したがって、調髪者は、ベッド上面と被調髪者の後頭部との間の狭い空間において、棒状に長い電動バリカンで調髪を行うことになるので、調髪作業が困難となる。
【０００８】
また、通常、電動バリカンでは、バリカン刃部は、固定刃に対して可動刃が摺動し、固定刃に支持された毛髪を切断するように動作するので、固定刃と可動刃との摺動により摩擦熱が発生する。その結果、バリカン刃部の温度は、電動バリカンが動作している間、時間の経過とともに上昇し、長時間の使用では、人が熱さを感じる温度に到達する可能性もある。
【０００９】
本発明は、上記問題に鑑みてなされたものである。したがって、本発明の目的は、調髪者がベッド上面と被調髪者の後頭部との間の狭い空間でも調髪作業を容易に行え、かつバリカン刃部の温度上昇を抑制できる電動バリカンを提供することである。
【課題を解決するための手段】
【００１０】
本発明の上記目的は、下記によって達成される。
【００１１】
電動バリカンは、バリカン刃部と、バリカン本体部と、通風部と、を有する。バリカン本体部は、前記バリカン刃部を駆動するモーターを備える。通風部は、流入口と、風路と、流出口と、を備え、前記バリカン本体部と一体的に形成されている。流入口は、前記バリカン刃部に隣接する位置に形成されている。風路は、前記バリカン刃部および前記バリカン本体部の側面に沿って形成されている。流出口は、前記バリカン本体部の側面上に形成され、前記流入口から流入した空気が前記バリカン本体部の側面に沿って流れる方向に対して交差する方向に前記空気を流出させる。
【発明の効果】
【００１２】
本発明によれば、ベッドの上面と被調髪者の頭部との間の距離よりも全長が短いので、調髪者がベッドの上面と被調髪者の頭部との間の狭い空間でも調髪作業を容易に行える。また、風路がバリカン刃部およびバリカン本体部の一側面に沿って形成されているので、バリカン刃部およびモーターの温度上昇を抑制できる。
【図面の簡単な説明】
【００１３】
【図１】第１の実施形態における電動バリカンの構成を例示する概略断面図である。
【図２】図１に示す電動バリカンの使用例を説明するための模式図である。
【図３Ａ】図１に示す電動バリカンの持ち方の一例を示すための模式図である。
【図３Ｂ】図１に示す電動バリカンの持ち方の他の例を示すための模式図である。
【図３Ｃ】図１に示す電動バリカンの持ち方の他の例を示すための模式図である。
【図４Ａ】一実施の形態の電動バリカンと比較例の電動バリカンとについて、モーター付近の温度の経時変化を対比するグラフである。
【図４Ｂ】一実施の形態の電動バリカンと比較例の電動バリカンとについて、バリカン刃部の温度の経時変化を対比するグラフである。
【図５】変形例１の電動バリカンの構成を例示する概略断面図である。
【図６】変形例２の電動バリカンの構成を例示する概略断面図である。
【図７】変形例３の電動バリカンの構成を例示する概略断面図である。
【図８】電動バリカンの外観を例示する斜視図である。
【図９】電動バリカンの外観を例示する正面図である。
【図１０】電動バリカンの外観を例示する右側面図である。
【図１１】電動バリカンの外観を例示する平面図である。
【図１２】電動バリカンの外観を例示する背面図である。
【図１３】電動バリカンの外観を例示する底面図である。
【発明を実施するための形態】
【００１４】
以下、添付した図面を参照しての本発明の電動バリカンの実施形態を説明する。なお、図中、同一の部材には同一の符号を用いた。また、図面の寸法比率は、説明の都合上誇張されており、実際の比率とは異なる場合がある。
【００１５】
（一実施の形態）
＜電動バリカン１００＞
図１は、本発明の一実施の形態に係る電動バリカンの構成を例示する概略断面図である。図１に示すように、電動バリカン１００は、バリカン刃ユニット１１０、バリカン本体部１２０、通風部１３０、筐体１４０、および発光部１５０を有する。
【００１６】
＜バリカン刃ユニット１１０＞
バリカン刃ユニット１１０は、バリカン刃部１１１および変換機構１１２を有する。バリカン刃部１１１は、櫛歯状に上下に形成された可動刃および固定刃（いずれも不図示）を備える。束状で固定刃の刃溝内に導入された毛髪は、固定刃により支持される。可動刃は、固定刃と接した状態で直線往復運動する。これにより、毛髪は、１本ずつ可動刃と固定刃の刃先エッジで挟み切りされる。
【００１７】
また、変換機構１１２は、バリカン本体部１２０のモーター１２１の回転軸の回転運動を直線往復運動へと変換する。
【００１８】
＜バリカン本体部１２０＞
バリカン本体部１２０は、モーター１２１、および電源部１２２を備える。モーター１２１および電源部１２２は、たとえば樹脂製の筐体１４０に収容されており、筐体１４０と通風部１３０とは、一体的に形成されている。筐体１４０は、バリカン本体部１２０を収容するとともにバリカン刃ユニット１１０の一部を覆う本体ハウジング１４２と、通風部１３０の外壁を構成する通風外壁部１４３とを含む。
【００１９】
モーター１２１は、その回転軸がバリカン刃ユニット１１０の変換機構１１２に連結され、変換機構１１２を回転駆動する。
【００２０】
電源部１２２は、筐体１４０の底部１４１とモーター１２１との間に配置され、図示しない電源回路および駆動回路を備える。電源回路は、外部から供給された電力を駆動回路に適した電圧および電流に変換し、供給する。駆動回路は、調髪者によって、図示しない電源スイッチが操作された場合、電源スイッチのオン／オフ状態に応じて、モーター１２１を駆動する。なお、電源部１２２は、充電式のバッテリーを備え、モーター１２１を駆動する電圧および電流をバッテリーから供給するように構成してもよい。
【００２１】
＜通風部１３０＞
通風部１３０は、接続部１３１、流入口１３２、風路１３３、および流出口１３４を有する。通風部１３０は、電気掃除機（不図示）によって、バリカン刃部１１１で切断された毛髪を流入口１３２から吸い込み、流出口１３４に排出する。流出口１３４は、接続部１３１と連結されており、流出口１３４から排出された空気および毛髪は、接続部１３１に接続された吸引ホース２００（図２を参照）を介して電気掃除機に吸収される。
【００２２】
流入口１３２は、筐体１４０におけるバリカン刃部１１１に隣接する位置に形成されている。流入口１３２の断面積Ａ１は、流出口１３４の断面積Ａ２よりも小さいことが好ましい。Ａ１＜Ａ２とすることにより、流入口１３２において流入する空気の平均流速を流出口１３４において流出する空気の平均流速よりも大きくすることができ、流入口１３２における毛髪の吸い込み効率を高めることができる。これにより、バリカン刃部１１１で切断された毛髪の一部がベッド上や被調髪者の頭皮等に飛散することを防止できる。
【００２３】
また、後述するように、流入口１３２の断面積を小さくし、流入する空気の流速を大きくすることにより、バリカン刃部１１１を効率的に冷却することができる。
【００２４】
風路１３３は、流入口１３２から流出口１３４へ至る、本体ハウジング１４２と通風外壁部１４３との間の空間に形成された管状の空気の通路であり、バリカン刃部１１１およびバリカン本体部１２０の一側面に沿って形成されている。風路１３３は、バリカン刃部１１１近傍に形成された流入口１３２からモーター１２１側面上に形成された流出口１３４へ向けて湾曲した形状に形成されている。
【００２５】
このように、風路１３３がバリカン刃部１１１およびバリカン本体部１２０の一側面に沿って形成されているので、流入口１３２から流入した空気は、バリカン刃部１１１およびバリカン本体部１２０に接触して熱を奪う。その結果、バリカン刃部１１１およびバリカン本体部１２０は冷却される。バリカン刃部１１１およびバリカン本体部１２０に対する冷却効果の詳細については後述する。
【００２６】
流出口１３４は、バリカン本体部１２０の側面上に形成され、流入口１３２から流入した空気がバリカン本体部１２０の側面に沿って流れる方向（図１の矢印Ｆ１方向）に対して交差する方向（図２の矢印Ｆ２方向）に空気を流出させる。本実施形態では、Ｆ１方向に対して、たとえば、概ね直交方向に空気が流出するように、流出口１３４および接続部１３１が形成される。
【００２７】
なお、接続部１３１は、空気の流出方向が一定の方向に向くように固定的に形成されてもよいし、流出口１３４における空気の流出方向、すなわち接続部１３１における吸引ホース２００の向きを自由に変更できるように構成してもよい。たとえば、接続部１３１を筐体１４０とは別体の環状の部材として形成し、Ｙ−Ｚ平面における環の中心を通りＸ軸方向に平行な中心軸を回転軸として回転自在となるように構成されうる。また、接続部１３１は、Ｙ−Ｚ平面における流出口１３４の中心を通り、Ｙ−Ｚ平面に平行な軸を回転軸として約１８０°回転可能となるように構成されうる。たとえば、図１の一点鎖線で示すように、接続部１３１は、その根元部において、Ｘ軸方向に対して±９０度以内の範囲で回転、もしくは所定角度に設定できる。このように、吸引ホース２００の向きを接続部１３１の根元部から自由に変更できるように構成することにより、調髪者は、調髪が行われる環境における空間的な制約に対して、より柔軟に対応することができる。
【００２８】
また、電動バリカン１００は、筐体１４０の外面に配置され、照明として機能する発光部１５０を有する。発光部１５０は、たとえば、通風部１３０の流入口１３２付近に配置され、ＬＥＤなどの発光素子を備えうる。調髪者は、発光部１５０からの照射光より被調髪者３００の毛髪を照らしながら調髪を行えるので、たとえば、部屋の電気照明の陰になる後頭部の調髪を容易に行える。
【００２９】
以上のように、本実施形態の電動バリカン１００では、風路１３３内において空気が流れる方向Ｆ１に対して流出方向がＦ２方向になるように流出口１３４が形成されているので、筐体１４０の長手方向、すなわちＹ軸方向の長さを短くすることができる。電動バリカン１００の全長Ｈ１は、たとえば１５ｃｍ程度であり、従来の吸引式電動バリカンと比較して、約半分のサイズである。
【００３０】
＜電動バリカン１００の使用例＞
図２は、図１に示す電動バリカン１００の使用例を説明するための模式図である。また、図３Ａ〜図３Ｃは、図１に示す電動バリカン１００の持ち方を例示するための模式図である。なお、図３Ａ〜図３Ｃにおいて、バリカン刃ユニット１１０の図示を省略している。上述のとおり、病院、介護施設等における「寝たきりの」被調髪者３００は、ベッド４００の上に仰臥した状態で調髪者によって調髪される。ベッド４００の上面４０１と被調髪者３００の後頭部との間の距離、すなわち、被調髪者３００の頭部の高さＨ２は、通常高くても１５〜２０ｃｍ程度である。本実施形態の電動バリカン１００の全長は１５ｃｍ程度であるので、調髪者は、電動バリカン１００を使用して容易に被調髪者３００の調髪を行うことができる。また、接続部１３１において、吸引ホースの向きを自由に変えられるため、吸引ホース２００をベッド４００の上面４０１に沿う方向に延ばせるので、ベッド４００と吸引ホース２００とが干渉することが少ない。
【００３１】
次に、電動バリカン１００を使用して調髪する場合の持ち方について説明する。本実施形態の電動バリカン１００は、調髪者が手に持った際に、手からはみ出る筐体１４０部分が少ないほどコンパクトなサイズであるため、以下に例示するような持ち方で調髪を行うことができる。
【００３２】
図３Ａに示すように、調髪者は、電動バリカン１００に対して、手のひらをＹ−Ｚ平面と平行にし、人差し指から小指を−Ｚ方向に向け、親指を接続部１３１の根元部に置き、電動バリカン１００の筐体１４０を人差し指から薬指の腹と親指の腹とで挟んで持つことができる。
【００３３】
図２に示すように、このような持ち方で電動バリカン１００を持った場合、調髪者は、被調髪者３００の後頭部の髪を容易に調髪できる。
【００３４】
また、図３Ｂに示すように、調髪者は、親指を電動バリカン１００の側部に置き、電動バリカン１００の底部を人差し指から薬指の腹に向けるようにして、電動バリカン１００を掴んで持つこともできる。すなわち、電動バリカン１００に対して、手のひらをＹ−Ｚ平面と平行にし、人差し指から小指をＸ軸方向に向け、電動バリカン１００の底部に対して人差し指から薬指の腹をＹ軸方向に押し付けるようにして、電動バリカン１００を掴んで持つことができる。
【００３５】
調髪者は、電動バリカン１００を図３Ｂに示すように持つことができるので、被調髪者３００の前や横の髪の毛を刈ったり、スポーツ刈り等にしたりする際に、無理な持ち方をしたり、無理な姿勢をとったりする必要がない。一方、このような持ち方は、従来の吸引式電動バリカンではできない。
【００３６】
また、図３Ｃに示すように、調髪者は、電動バリカン１００のコンパクト性を利用して、このほかにも、必要に応じて適宜、筐体１４０および接続部１３１への指のかけ方を変更して、調髪に適した持ち方をすることができる。
【００３７】
＜風路１３３の空気流によるバリカン刃部１１１およびモーター１２１に対する冷却効果＞
本発明者らは、本実施形態の電動バリカン１００のバリカン刃部１１１およびモーター１２１付近の筐体１４０（本体ハウジング１４２）の温度を経時的に測定した。なお、刈った毛髪を吸引するための電気掃除機の吸引を「弱」と「中」の間の強さとして測定を行った。測定結果を下記表１に示す。
【００３８】
【表１】
2019176957.tif 000003
【００３９】
また、本発明者らは、比較例として、美容専門バリカンのバリカン刃部およびモーター付近の筐体の温度を経時的に測定した。なお、測定に使用した美容専門バリカンは、吸引式電動バリカンであるが、刈った毛髪を吸引するための電気掃除機の電源はオフの状態で使用した。測定結果を下記表２に示す。
【００４０】
【表２】
2019176957.tif 000004
【００４１】
図４Ａは本実施形態の電動バリカン１００と比較例のバリカンとについて、モーター付近の温度の経時変化を対比するグラフであり、図４Ｂは本実施形態の電動バリカン１００と比較例のバリカンとについて、バリカン刃部の温度の経時変化を対比するグラフである。
【００４２】
図４Ａに示すように、比較例のバリカンでは、モーター付近の筐体の温度は、測定の開始から時間とともに上昇し、３０分後には４１．３℃に達した。これに対して、本実施形態の電動バリカン１００では、モーター１２１付近の筐体１４０の温度は、測定の開始からわずかに上昇したが、２７〜２８℃でほぼ一定となった。
【００４３】
また、図４Ｂに示すように、比較例のバリカンでは、バリカン刃部の温度は、測定の開始から時間とともに上昇し、３０分後には５０．６℃、４０分後には５１．３℃に達した。これに対して、本実施形態の電動バリカン１００では、バリカン刃部１１１の温度は、測定の開始からわずかに上昇したが、２４〜２５℃でほぼ一定となった。
【００４４】
このように、本実施形態の電動バリカン１００では、風路１３３に流れる空気流によりバリカン刃部１１１およびモーター１２１が冷却される効果が顕著に高いことが確認できた。
【００４５】
したがって、本実施形態の電動バリカン１００では、被調髪者３００が触れる可能性のあるバリカン刃部１１１の温度上昇を効果的に抑制できる。また、モーター１２１の温度上昇を抑制できるので、モーターの稼働条件を改善できる。その結果、モーターの寿命を延ばすことが可能である。
【００４６】
以下の変形例１〜変形例３では、電動バリカン１００は、風路１３３とモーター１２１との間にモーター１２１を冷却する冷却部をさらに備える。
【００４７】
（変形例１）
図５は、変形例１の電動バリカン１００の構成を例示する概略断面図である。変形例１では、モーター１２１の側面付近の本体ハウジング１４２を、モーター１２１側に近付けるとともに、本体ハウジング１４２の厚みを薄く形成する。すなわち、モーター１２１は、風路１３３に近接して配置される。これにより、厚みが薄く形成された本体ハウジング１４２に空気流が接触して冷却部として機能し、モーター１２１の発した熱が、風路１３３を流れる空気流に効率良く伝達する。その結果、モーター１２１に対する冷却効果が向上する。
【００４８】
（変形例２）
図６は、変形例２の電動バリカン１００の構成を例示する概略断面図である。変形例２では、モーター１２１の側面付近の本体ハウジング１４２に金属板１４４を挿入する。すなわち、風路１３３とモーター１２１との間が、本体ハウジング１４２の厚みと同程度の金属板１４４によって仕切られている。これにより、金属板１４４が冷却部として機能し、モーター１２１の発した熱が、風路１３３を流れる空気流に効率良く伝達する。その結果、モーター１２１に対する冷却効果が向上する。
【００４９】
（変形例３）
図７は、変形例３の電動バリカン１００の構成を例示する概略断面図である。変形例３では、モーター１２１の側面付近の本体ハウジング１４２に編み目１４５を形成する。すなわち、風路１３３とモーター１２１との間の本体ハウジング１４２の壁部に空気を通過させる編み目が形成されている。これにより、編み目が冷却部として機能し、モーター１２１の発した熱が、風路１３３を流れる空気流に効率良く伝達する。その結果、モーター１２１に対する冷却効果が向上する。なお、編み目１４５は、風路を空気と一緒に流れてくる毛髪が通過できない程度に十分細かい隙間であることが好ましい。
【００５０】
従来の電動バリカンでは、バリカン刃部およびモーターの冷却が十分ではない。したがって、調髪者は、多数の被調髪者の調髪を行う場合や長時間にわたり調髪を行う場合、たとえば２つまたは３つの電動バリカンを２０〜３０分程度おきにかわるがわる使用するなど、バリカン刃部およびモーターの過熱を避ける工夫をする必要がある。しかし、本実施形態の電動バリカン１００では、バリカン刃部およびモーターの冷却が十分行われるため、１つの電動バリカンを使用して多数の被調髪者の調髪を行ったり、３０分を超えて連続的に使用したりすることも可能である。
【００５１】
＜電動バリカン１００の外観＞
図８〜図１３は、それぞれ電動バリカン１００の外観を例示する斜視図、正面図、右側面図、平面図、背面図、および底面図である。なお、左側面図は、右側面図と対称であるので省略する。
【００５２】
以上で説明した本実施形態の電動バリカン１００は、ベッド４００の上面と被調髪者３００の頭部との間の距離よりも全長が短いので、調髪者がベッド４００の上面と被調髪者３００の頭部との間の狭い空間でも調髪作業を容易に行える。また、風路１３３がバリカン刃部１１１およびバリカン本体部１２０の一側面に沿って形成されているので、バリカン刃部１１１およびモーター１２１の温度上昇を抑制できる。
【００５３】
以上のとおり、実施形態において、本発明のバリカンを説明した。しかしながら、本発明は、その技術思想の範囲内において当業者が適宜に追加、変形、および省略することができることはいうまでもない。
【符号の説明】
【００５４】
１００  電動バリカン、
１１０  バリカン刃ユニット、
１１１  バリカン刃部、
１１２  変換機構、
１２０  バリカン本体部、
１２１  モーター、
１２２  電源部、
１３０  通風部、
１３１  接続部、
１３２  流入口、
１３３  風路、
１３４  流出口、
１４０  筐体、
１４１  底部、
１４２  本体ハウジング、
１４３  通風外壁部、
１４４  金属板、
１４５  編み目、
１５０  発光部、
２００  吸引ホース。
【図１】
2019176957.tif 000005
【図２】
2019176957.tif 000006
【図３Ａ】
2019176957.tif 000007
【図３Ｂ】
2019176957.tif 000008
【図３Ｃ】
2019176957.tif 000009
【図４Ａ】
2019176957.tif 000010
【図４Ｂ】
2019176957.tif 000011
【図５】
2019176957.tif 000012
【図６】
2019176957.tif 000013
【図７】
2019176957.tif 000014
【図８】
2019176957.tif 000015
【図９】
2019176957.tif 000016
【図１０】
2019176957.tif 000017
【図１１】
2019176957.tif 000018
【図１２】
2019176957.tif 000019
【図１３】
2019176957.tif 000020
【手続補正書】
【提出日】平成30年8月10日(2018.8.10)
【手続補正１】
【補正対象書類名】特許請求の範囲
【補正対象項目名】全文
【補正方法】変更
【補正の内容】
【特許請求の範囲】
【請求項１】
バリカン刃部と、
前記バリカン刃部を駆動する電動モーターを備えるバリカン本体部と、
前記バリカン刃部に隣接する位置に形成された流入口と、前記バリカン刃部および前記バリカン本体部の側面に沿って形成された風路と、前記バリカン本体部の側面上に形成され、前記流入口から流入した空気が前記風路を通り前記バリカン本体部の側面に沿って流れる方向に対して交差する方向に前記空気を流出させる流出口と、を備え、前記バリカン本体部と一体的に形成された通風部と、
前記流出口と吸引ホースとを接続する接続部と、
を有し、
前記接続部は、前記吸引ホースの向きを前記接続部の根元部から変更できるように構成されている、電動バリカン。
【請求項２】
前記バリカン本体部を収容する筐体をさらに備え、
前記バリカン本体部は、前記電動モーターを駆動する電源部を備え、
前記電源部は、
前記筐体の底部と前記電動モーターとの間に配置され、
前記風路と前記電動モーターとの間の前記筐体の壁部は、前記筐体の他の壁部よりも厚みが薄く形成されており、
前記電動モーターは、厚みが薄く形成されている前記筐体の壁部を介して前記風路に近接して配置されている、請求項１に記載の電動バリカン。
【請求項３】
前記バリカン本体部を収容する筐体をさらに備え、
前記バリカン本体部は、前記電動モーターを駆動する電源部を備え、
前記電源部は、
前記筐体の底部と前記電動モーターとの間に配置され、
前記風路と前記電動モーターとの間は、金属板によって仕切られている、請求項１に記載の電動バリカン。
【請求項４】
前記筐体の外面に配置され、照明として機能する発光部をさらに有する、請求項１〜３のいずれか１項に記載の電動バリカン。
【請求項５】
前記電源部は、充電式のバッテリーを備え、前記電動モーターを駆動する電力を前記バッテリーから供給する、請求項１〜４のいずれか１項に記載の電動バリカン。
【請求項６】
前記流入口の断面積は、前記流出口の断面積よりも小さい、請求項１〜５のいずれか１項に記載の電動バリカン。
【手続補正２】
【補正対象書類名】明細書
【補正対象項目名】００１１
【補正方法】変更
【補正の内容】
【００１１】
電動バリカンは、バリカン刃部と、バリカン本体部と、通風部と、接続部と、を有する。バリカン本体部は、前記バリカン刃部を駆動する電動モーターを備える。通風部は、流入口と、風路と、流出口と、を備え、前記バリカン本体部と一体的に形成されている。流入口は、前記バリカン刃部に隣接する位置に形成されている。風路は、前記バリカン刃部および前記バリカン本体部の側面に沿って形成されている。流出口は、前記バリカン本体部の側面上に形成され、前記流入口から流入した空気が前記風路を通り前記バリカン本体部の側面に沿って流れる方向に対して交差する方向に前記空気を流出させる。接続部は、前記流出口と吸引ホースとを接続し、前記吸引ホースの向きを前記接続部の根元部から変更できるように構成されている。